(57)【要約】【解決手段】樹脂により成形した拡声筒１を備えている。拡声筒１の内面９には使用者の口に当てがわれる把持部８とその把持部８から入れられた使用者の声が拡がって出る拡声部１０との間で立体模様１８を形成している。拡声筒１で立体模様１８を有する壁部４を透明にしている。従って、透明な壁部４を有する拡声筒１でその壁部４の内面９にある立体模様１８により、拡声筒１の外面１１に立体模様を形成することなく使用者の立体感をかもしだすことができるとともに、スポーツの応援に関するラベルやレッテルを拡声筒１の外面１１に簡単に貼ることができる。また、音源２３とその音源２３に接続したスピーカー２４とを内蔵する音声ケース２１を拡声筒１の内側に取り付けている。従って、使用者の肉声に代わる応援メッセージをその音声ケース２１から流すことができる。【効果】スポーツの応援等で使用するメガホンにおいて応援効果を高めることができる。【選択図】図５
2007114706.tif 000002
【特許請求の範囲】
【請求項１】
樹脂により成形した拡声筒を備えたメガホンにおいて、この拡声筒の内面には使用者の口に当てがわれる入口とその入口から入れられた使用者の声が拡がって出る出口との間で立体模様を形成し、この拡声筒で立体模様を有する壁部を透明にしたことを特徴とするメガホン。
【請求項２】
前記拡声筒で立体模様を有する壁部の外面にはラベルやレッテルを貼ることができる貼着面を設けたことを特徴とする請求項１に記載のメガホン。
【請求項３】
前記拡声筒は周方向で分割した複数の分割体からなり、この各分割体の周方向両側で入口と出口とを結ぶ長手方向へ延びる端縁部のうち互いに隣接する両分割体の端縁部を重合させて連結したことを特徴とする請求項１または請求項２に記載のメガホン。
【請求項４】
音源に接続したスピーカーを前記拡声筒に取り付けたことを特徴とする請求項１または請求項２または請求項３に記載のメガホン。
【請求項５】
使用者の口に当てがわれる入口とその入口から入れられた使用者の声が拡がって出る出口とを有する拡声筒を備えたメガホンにおいて、音源に接続したスピーカーをこの拡声筒に取り付けたことを特徴とするメガホン。
【請求項６】
音源とその音源に接続したスピーカーとを内蔵する音声ケースを前記拡声筒の内側に取り付けたことを特徴とする請求項５に記載のメガホン。
【請求項７】
前記拡声筒は周方向で分割した複数の分割体からなり、この各分割体の周方向両側で入口と出口とを結ぶ長手方向へ延びる端縁部のうち互いに隣接する両分割体の端縁部を重合させて連結し、前記音声ケースはこの各分割体の内側に取り付けられていることを特徴とする請求項６に記載のメガホン。
【発明の詳細な説明】
【技術分野】
【０００１】
本発明はスポーツの応援などで使用するメガホンに関するものである。
【背景技術】
【０００２】
従来、この種のメガホンでは、外面に立体模様を形成して使用者の立体感をかもしだしていた。また、使用者の肉声のみによる応援メッセージが流れていた。
【発明の開示】
【発明が解決しようとする課題】
【０００３】
しかし、メガホンの外面に立体模様があると、その立体模様を有する外面にスポーツの応援に関するラベルやレッテルを貼ることが難しくなるため、応援効果が低くなるおそれがあった。また、使用者の肉声のみによる応援メッセージであると、声枯れなどが生じて応援メッセージが小さくなるため、応援効果が低くなるおそれがあった。
【０００４】
この発明は応援効果を高めることができるメガホンを提供することを目的としている。
【課題を解決するための手段】
【０００５】
後記実施形態の図面（図１〜４に示す第１実施形態、図５に示す第２実施形態）の符号を援用して本発明を説明する。
請求項１の発明にかかるメガホンは、第１〜２実施形態に対応し、下記のように構成されている。
【０００６】
このメガホンにおいては、樹脂により成形した拡声筒１を備えている。この拡声筒１の内面９には使用者の口に当てがわれる入口２とその入口２から入れられた使用者の声が拡がって出る出口３との間で立体模様１８を形成している。例えば、この立体模様１８においては、外形線１９ａ，１９ｂ，１９ｃを有し、錐形状などの複数の凹所１９や凸部を拡声筒１の長手方向Ｘ及び周方向へ並設している。この拡声筒１で立体模様１８を有する壁部４を透明にしている。ここに「透明」には、この拡声筒１で立体模様１８を有する壁部４の外面１１側からその壁部４を通してその立体模様１８を肉眼で透視することができることのほかに、少なくともその立体模様１８の色彩や明暗を肉眼で透視ことができる半透明も含む。
【０００７】
請求項１の発明を前提とする請求項２の発明（第１〜２実施形態に対応）においては、前記拡声筒１で立体模様１８を有する壁部４の外面１１にラベルやレッテルを貼ることができる貼着面１１を設けている。
【０００８】
請求項１〜２の発明では、透明な壁部４を有する拡声筒１でその壁部４の内面９にある立体模様１８により、拡声筒１の外面１１に立体模様を形成することなく使用者の立体感をかもしだすことができるとともに、スポーツの応援に関するラベルやレッテルを拡声筒１の外面１１（貼着面）に簡単に貼ることができる。
【０００９】
請求項１または請求項２の発明を前提とする請求項３の発明（第１〜２実施形態に対応）において、前記拡声筒１は周方向で分割した複数の分割体１２，１３からなり、この各分割体１２，１３の周方向両側で入口２と出口３とを結ぶ長手方向Ｘへ延びる端縁部１４，１６のうち互いに隣接する両分割体１２，１３の端縁部１４，１６を重合させて連結した。請求項３の発明では、拡声筒１の内面８に対し各種立体模様１８の成形を容易に行うことができる。
【００１０】
請求項１または請求項２または請求項３の発明を前提とする請求項４の発明（第２実施形態に対応）において、音源２３に接続したスピーカー２４を前記拡声筒１に取り付けている。請求項４の発明では、使用者の肉声に代わる応援メッセージを流すことができる。
【００１１】
請求項５の発明（第２実施形態に対応）にかかるメガホンにおいては、使用者の口に当てがわれる入口２とその入口２から入れられた使用者の声が拡がって出る出口３とを有する拡声筒１を備え、音源２３に接続したスピーカー２４をこの拡声筒１に取り付けている。請求項５の発明では、使用者の肉声に代わる応援メッセージを流すことができる。
【００１２】
請求項５の発明を前提とする請求項６の発明（第２実施形態に対応）においては、音源２３とその音源２３に接続したスピーカー２４とを内蔵する音声ケース２１を前記拡声筒１の内側に取り付けている。請求項６の発明では、拡声筒１に対し音声ケース２１を嵩張らずにコンパクトにまとめることができる。
【００１３】
請求項６の発明を前提とする請求項７の発明（第２実施形態に対応）において、前記拡声筒１は周方向で分割した複数の分割体１２，１３からなり、この各分割体１２，１３の周方向両側で入口２と出口３とを結ぶ長手方向Ｘへ延びる端縁部１４，１６のうち互いに隣接する両分割体１２，１３の端縁部１４，１６を重合させて連結し、前記音声ケース２１はこの各分割体１２，１３の内側に取り付けられている。請求項７の発明では、音声ケース２１を拡声筒１の内側に対し簡単に取り付けることができる。
【発明の効果】
【００１４】
本発明は、スポーツの応援などで使用するメガホンにおいて、応援効果を高めることができる。
【発明を実施するための最良の形態】
【００１５】
まず、本発明の第１実施形態にかかるメガホンについて図１〜４を参照して説明する。
図１（ａ）に示す非電気的メガホンにおいて拡声筒１は、図４（ａ）に示すように、使用者の口に当てがわれる円形状の入口２と、その入口２から入れられた使用者の声が拡がって出る円形状の出口３と、その入口２と出口３との間で長手方向Ｘへ延びる円筒状の壁部４とからなる。この入口２の外周全体には外側へ突出する鍔部５が形成されている。この出口３の外周全体には外側へ突出する鍔部６が形成されている。ちなみに、この出口３の直径はこの入口２の直径の１.５倍程度である。この入口２と出口３との間で壁部４には最も直径の小さい細径部７が形成され、この入口２と細径部７との間における壁部４の直径は入口２から細径部７に向うに従い次第に小さくなり、この細径部７と出口３との間における壁部４の直径は細径部７から出口３に向うに従い次第に大きくなっている。ちなみに、この入口２の直径はこの細径部７の直径の２倍程度であり、この出口３の直径はこの細径部７の直径の３倍程度である。また、この細径部７と出口３との間における長手方向Ｘの寸法はこの入口２と細径部７との間における長手方向Ｘの寸法の２.８倍程度である。この入口２と細径部７との間における壁部４は使用者が握る把持部８（入口２を有する口部）として利用することができる。この把持部８で壁部４の内面９にはその周方向全体で円環状に突出する複数（７個）の補強リブ９ａが長手方向Ｘに沿って互いに間隔をあけて並設されている。この出口３を含む拡声部１０で壁部４の外面１１にはその周方向全体で円環状に突出する複数（２個）の補強リブ１１ａが長手方向Ｘに沿って互いに間隔をあけて並設されている。
【００１６】
前記拡声筒１は、図１（ｂ）に示すように、周方向で上下に二分割され、ＰＳ（ポリスチレン）やＰＣ（ポリカーボネート）やＡＳやＡＢＳやアクリルなどの合成樹脂により一体成形された上側分割体１２と下側分割体１３とからなる。図２（ａ）（ｂ）に示すように、この上側分割体１２で壁部４の周方向の左右両側には端縁部１４が長手方向Ｘの全体に延びるように突設され、この左右両端縁部１４には複数（５個）の連結孔１５（凹部）が長手方向Ｘで並ぶように互いに間隔をあけて形成されている。図３（ａ）（ｂ）に示すように、この下側分割体１３で壁部４の周方向の左右両側には端縁部１６が長手方向Ｘの全体に延びるように突設され、この左右両端縁部１６には複数（５個）の連結軸１７（凸部）が長手方向Ｘで並ぶように互いに間隔をあけて形成されている。図４（ｂ）（ｃ）に示すように、この上側分割体１２の左右両端縁部１４とこの下側分割体１３の左右両端縁部１６とが互いに重合された状態で左右両端縁部１４の連結孔１５と左右両端縁部１６の連結軸１７とが連結部として互いに嵌合されて前記拡声筒１が組み付けられる。この上側分割体１２の左右両端縁部１４とこの下側分割体１３の左右両端縁部１６とは、連結部としてテープにより互いに取着してもよいし、また、連結部として互いに熱溶着してもよい。そのテープや熱溶着部分を剥がせば、この上側分割体１２と下側分割体１３とを互いに分離することができる。
【００１７】
前記拡声筒１の上側分割体１２及び下側分割体１３においてそれぞれ把持部８と拡声部１０との間で壁部４の内面９には立体模様１８が形成されている。この立体模様１８においては多数の凹所１９が長手方向Ｘ及び周方向へ並設されている。この各凹所１９は、高さの極めて小さい略四角錐形状をなし、四角錐の底面をなす四角形状の外形線１９ａと、底面の各外形線１９ａのうち互いに隣接する両外形線１９ａ間の角部と四角錐の頂部とを結ぶ外形線１９ｂと、長手方向Ｘ及び周方向で各頂部を結ぶ外形線１９ｃとを有している。互いに隣接する両凹所１９間では底面をなす四角形状の外形線１９ａを兼ねている。この拡声筒１において、壁部４の内面９ではこの立体模様１８及び前記補強リブ９ａ以外の部分が滑らかな面になっているとともに、壁部４の外面１１では前記補強リブ１１ａ以外の部分が滑らかな面になっている。この壁部４の外面１１はスポーツの応援に関するラベルやレッテルを貼ることができる貼着面（滑らかな面）になっている。
【００１８】
前述したように合成樹脂により一体成形された上側分割体１２と下側分割体１３とからなる拡声筒１において、立体模様１８を有する壁部４の外面１１側からその壁部４を通してその立体模様１８を肉眼で透視することができるようにその壁部４を透明にするか、または、少なくともその立体模様１８の色彩や明暗を肉眼で透視することができるようにその壁部４を半透明（透明と不透明との中間状態）にしている。その際、拡声筒１の壁部４の全体または一部を透明または半透明にすることができる。また、上側分割体１２と下側分割体１３との間で色彩を異にしてもよい。
【００１９】
次に、本発明の第２実施形態にかかるメガホンについて第１実施形態との相違点を中心に図５（ａ）（ｂ）（ｃ）を参照して説明する。
前記拡声筒１の上側分割体１２及び下側分割体１３においてそれぞれ把持部８と拡声部１０との間の壁部４の内面９には、前記立体模様１８を除く部分で、それらの左右両端縁部１４，１６に隣接してそれぞれ止め板部２０が形成されている。この上側分割体１２の左右両止め板部２０と下側分割体１３の左右両止め板部２０との間には音声ケース２１が嵌め込まれて取り付けられ、この各止め板部２０及び音声ケース２１と壁部４の内面９との間には通路２２が形成されている。この音声ケース２１内には音源２３とその音源２３に接続したスピーカー２４と電源としての乾電池２５とが内蔵されている。この音源２３には応援メッセージが予め記憶されている。この音声ケース２１から引き出された配線２６に接続されたスイッチ２７が壁部４の外面１１から露出している。このスイッチ２７を操作すると、音源２３に記憶された応援メッセージがスピーカー２４から複数回（３回）だけ流れた後に停止する。図示しないが、この音源２３に録音機能を持たせ、録音された応援メッセージをスピーカー２４から流してもよい。
【００２０】
次に、請求項以外の技術的思想を述べる。
＊  請求項１または請求項２の発明を前提とする第８の発明（第１〜２実施形態に対応）において、前記入口２を含む口部８と前記出口３を含む拡声部１０とで拡声筒１には補強リブ９ａ，１１ａを設け、前記拡声筒１で立体模様１８を有する壁部４はこの補強リブ９ａを有する口部８の壁部４とこの補強リブ１１ａを有する拡声部１０の壁部４との間に設けられている。第８の発明では、補強リブ９ａ，１１ａにより拡声筒１の強度を高めることができる。
【００２１】
＊  請求項３または請求項７の発明を前提とする第９の発明（第１〜２実施形態に対応）において、互いに隣接する両分割体１２，１３の端縁部１４，１６間には互いに嵌合される凹部１５と凸部１７とを備えた連結部を設けている。第９の発明では、両分割体１２，１３を確実に連結することができる。
【図面の簡単な説明】
【００２２】
【図１】（ａ）は第１実施形態にかかるメガホンを示す組付斜視図であり、（ｂ）は同じく分解斜視図である。
【図２】（ａ）は図１（ｂ）に示すメガホンにおいて上側分割体の外側を示す平面図であり、（ｂ）は同じく上側分割体の内側を示す底面図である。
【図３】（ａ）は図１（ｂ）に示すメガホンにおいて下側分割体の外側を示す底面図であり、（ｂ）は同じく下側分割体の内側を示す平面図である。
【図４】（ａ）は図１（ａ）のメガホンを側面側から見た断面図であり、（ｂ）は同じく正面側から見た（ａ）のＡ−Ａ線断面図であり、（ｃ）は（ａ）のＢ−Ｂ線における部分拡大断面図である。
【図５】（ａ）は第２実施形態にかかるメガホンを側面側から見た断面図であり、（ｂ）は同じく正面側から見た（ａ）のＣ−Ｃ線断面図であり、（ｃ）は（ａ）の部分拡大図である。
【符号の説明】
【００２３】
１…拡声筒、２…入口、３…出口、４…壁部、８…把持部（口部）、９…壁部の内面、９ａ…内面の補強リブ、１０…拡声部、１１…壁部の外面（貼着面）、１１ａ…外面の補強リブ、１２…上側分割体、１３…下側分割体、１４…上側分割体の端縁部、１５…端縁部の連結孔（凹部）、１６…下側分割体の端縁部、１７…端縁部の連結軸（凸部）、１８…立体模様、２１…音声ケース、２３…音源、２４…スピーカー、Ｘ…長手方向。
【図１】
2007114706.tif 000003
【図２】
2007114706.tif 000004
【図３】
2007114706.tif 000005
【図４】
2007114706.tif 000006
【図５】
2007114706.tif 000007